(57)【要約】【課題】  定期券の払戻し換金などの不正行為を防止することが可能な定期券不正使用防止システム、窓口端末、基地局及び定期券不正使用防止方法の提供。【解決手段】  定期券不正使用防止システムＳは、定期券Ｃと、携帯電話機１と、改札ゲート装置３と、窓口端末４とから構成される。定期券Ｃ内に携帯電話番号情報を記録しておく。窓口端末４が定期券読取手段で読取った定期券Ｃの携帯電話番号情報について定期券払戻し窓口２１の最寄りの基地局ＢＳ２に位置情報登録済みか位置情報未登録かの問い合わせを行う。基地局ＢＳ２からの位置情報登録済み又は位置情報未登録の確認結果を受け取る。定期券Ｃから読取った携帯電話番号情報が基地局ＢＳ２に位置情報未登録である時、定期券Ｃの払戻しを行えない旨の警告を発する。【選択図】        図１
2007004509.tif 000002
【特許請求の範囲】
【請求項１】
定期券と、最寄りの基地局に位置情報登録を行う登録手段を備え、前記定期券を利用する定期券利用者が携行する携帯電話機と、前記定期券利用者が入退場する駅の改札口に設置され、開閉可能なゲートと定期券読取部を有する改札ゲート装置と、前記駅の定期券払戻し窓口に設置された窓口端末とから構成され、前記定期券と前記携帯電話機を連携して定期券の不正使用を防止するシステムであって、
前記定期券は、定期券情報と前記携帯電話機の携帯電話情報を記録しており、前記改札ゲート装置は、前記定期券読取部により前記定期券の読取りを行い、そして、読取った前記定期券の携帯電話情報についてゲートの最寄りの基地局に位置情報登録済みか位置情報未登録かの問い合わせを行う問い合わせ手段と、前記ゲートの最寄りの基地局からの位置情報登録済み又は位置情報未登録の確認結果を受け取る受取手段と、前記定期券から読取った携帯電話情報が前記ゲートの最寄りの基地局に位置情報登録済みである時、前記ゲートを開放するゲート開閉制御手段とを備え、前記窓口端末は、前記定期券の読取りを行う定期券読取手段と、前記定期券読取手段により前記定期券から読取った携帯電話情報について前記定期券払戻し窓口の最寄りの基地局に位置情報登録済みか位置情報未登録かの問い合わせを行う問い合わせ手段と、前記定期券払戻し窓口の最寄りの基地局からの位置情報登録済み又は位置情報未登録の確認結果を受け取る受取手段と、前記定期券から読取った携帯電話情報が前記定期券払戻し窓口の最寄りの基地局に位置情報未登録である時、前記定期券の払戻しを行えない旨の警告を発する警告手段とを備えたことを特徴とする定期券不正使用防止システム。
【請求項２】
定期券と、最寄りの基地局に位置情報登録を行う登録手段を備え、前記定期券を利用する定期券利用者が携行する携帯電話機と、前記定期券利用者が入退場する駅の改札口に設置され、開閉可能なゲートと定期券読取部を有する改札ゲート装置と、前記駅の定期券払戻し窓口に設置された窓口端末とから構成され、前記定期券と前記携帯電話機を連携して定期券の不正使用を防止するシステムであって、
前記定期券は、定期券情報と前記携帯電話機の携帯電話情報を記録しており、前記改札ゲート装置は、前記定期券読取部により前記定期券の読取りを行い、そして、ゲートの最寄りの基地局から位置情報登録した携帯電話機の登録携帯電話情報を取得する登録携帯電話情報取得手段と、前記定期券から読取った携帯電話情報と前記ゲートの最寄りの基地局から取得した登録携帯電話情報とを照合する照合手段と、前記定期券から読取った携帯電話情報と前記ゲートの最寄りの基地局から取得した登録携帯電話情報とが一致した時、前記ゲートを開放するゲート開閉制御手段とを備え、前記窓口端末は、前記定期券の読取りを行う定期券読取手段と、前記定期券払戻し窓口の最寄りの基地局から位置情報登録した携帯電話機の登録携帯電話情報を取得する登録携帯電話情報取得手段と、前記定期券読取手段により前記定期券から読取った携帯電話情報と前記定期券払戻し窓口の最寄りの基地局から取得した登録携帯電話情報とを照合する照合手段と、前記定期券から読取った携帯電話情報と前記定期券払戻し窓口の最寄りの基地局から取得した登録携帯電話情報とが一致しない時、前記定期券の払戻しを行えない旨の警告を発する警告手段とを備えたことを特徴とする定期券不正使用防止システム。
【請求項３】
駅の定期券払戻し窓口に設置され、定期券の読取りを行う定期券読取手段と、前記定期券読取手段により前記定期券から読取った携帯電話情報について前記定期券払戻し窓口の最寄りの基地局に位置情報登録済みか位置情報未登録かの問い合わせを行う問い合わせ手段と、前記基地局からの位置情報登録済み又は位置情報未登録の確認結果を受け取る受取手段と、前記定期券から読取った携帯電話情報が前記基地局に位置情報未登録である時、前記定期券の払戻しを行えない旨の警告を発する警告手段とを備えたことを特徴とする窓口端末。
【請求項４】
駅の定期券払戻し窓口に設置され、定期券の読取りを行う定期券読取手段と、前記定期券払戻し窓口の最寄りの基地局から位置情報登録した携帯電話機の登録携帯電話情報を取得する登録携帯電話情報取得手段と、前記定期券読取手段により前記定期券から読取った携帯電話情報と前記基地局から取得した登録携帯電話情報とを照合する照合手段と、前記定期券から読取った携帯電話情報と前記基地局から取得した登録携帯電話情報とが一致しない時、前記定期券の払戻しを行えない旨の警告を発する警告手段とを備えたことを特徴とする窓口端末。
【請求項５】
窓口端末の最寄りに設置され、携帯電話機の位置情報登録を実行する登録実行手段と、前記窓口端末からの定期券から読取った携帯電話情報について位置情報登録済みか位置情報未登録かの問い合わせを受け付ける受付手段と、位置情報登録済み又は位置情報未登録の確認を行う確認手段と、位置情報登録済み又は位置情報未登録の確認結果を前記窓口端末に返信する返信手段とを備えたことを特徴とする基地局。
【請求項６】
定期券と、最寄りの基地局に位置情報登録を行う登録手段を備え、前記定期券を利用する定期券利用者が携行する携帯電話機と、駅の定期券払戻し窓口に設置された窓口端末とを使用し、前記定期券と前記携帯電話機を連携して定期券の不正使用を防止する方法であって、
前記窓口端末の定期券読取手段により定期券情報と前記携帯電話機の携帯電話情報を記録してある前記定期券の読取りを行う手順と、前記窓口端末から前記定期券払戻し窓口の最寄りの基地局に前記定期券から読取った携帯電話情報について位置情報登録済みか位置情報未登録かの問い合わせを行う手順と、前記定期券払戻し窓口の最寄りの基地局から前記窓口端末に位置情報登録済み又は位置情報未登録の確認結果を受け取る手順と、前記定期券から読取った携帯電話情報が前記定期券払戻し窓口の最寄りの基地局に位置情報未登録である時、前記窓口端末から前記定期券の払戻しを行えない旨の警告を発する手順とを含むことを特徴とする定期券不正使用防止方法。
【発明の詳細な説明】
【技術分野】
【０００１】
本発明は、定期券と携帯電話機を連携させて定期券の不正使用を防止する定期券不正使用防止システム、窓口端末、基地局及び定期券不正使用防止方法に関するものである。
【背景技術】
【０００２】
現状では、定期券を第三者（不心得者）に拾われる又は盗まれると、定期券を第三者に不正に使用される又は換金されるリスクが大きかった。
また、定期券利用者が定期券を紛失すると、定期券利用者の自己責任となり、損害は定期券利用者のみが被ることになる。
【０００３】
従来、定期券の改札処理を行う自動改札機を有する改札システムが提案されている。
【０００４】
また、携帯電話の機能と非接触式カード定期券の機能を備えた移動機が特許文献１に開示されている。
【０００５】
さらに、定期券に携帯電話機の携帯電話番号情報を登録したものが特許文献２に開示されている。
【特許文献１】特開２００２−８３３２２号公報
【特許文献２】特開２０００−４２９５号公報
【発明の開示】
【発明が解決しようとする課題】
【０００６】
ところが、従来の改札システムでは、その定期券が定期券利用者本人のものであるか否かの判別は不可能であった。
【０００７】
また、特許文献１に開示されたものでは、移動機の不正利用防止及び移動機の紛失時の対処と救済にはならなかった。
【０００８】
さらに、特許文献２に開示されたものでは、定期券紛失届時に、係員が定期券内に登録された携帯電話番号に発信し、定期券利用者本人への連絡を行わなければならなかった。
【０００９】
そこで、本発明の目的は、上記の事情に鑑みてなされたものであって、窓口端末の最寄りに携帯電話機と交信可能な基地局を設置したので、定期券利用者が携行する携帯電話機から駅の定期券払戻し窓口の最寄りの基地局に位置情報登録を行うことができ、定期券利用者が携行する携帯電話機の携帯電話情報をあらかじめ定期券内に記録しておき、定期券を利用する定期券利用者が改札ゲート装置を通過する時に、定期券利用者の提示する定期券内に記録された携帯電話情報を改札ゲート装置の定期券読取部で読取ると同時に、定期券から読取った携帯電話情報がゲートの最寄りの基地局に位置情報登録を行った携帯電話機の携帯電話情報であるかを確認することにより、社会生活を送るほとんどの方が携行する携帯電話機を活用して、簡便且つ確実に改札でのセキュリティを高めることができ、定期券は携帯電話機を持っている定期券利用者本人しか使えず、第三者の駅構内への不正入場などの未然防止を図ることができ、定期券紛失などにより、定期券が第三者に不正に使用されることを未然に防止することができ、定期券と携帯電話機とを連携させて定期券の不正使用を防止することができ、駅の定期券払戻し窓口での定期券の払戻し請求時に、定期券内に記録された携帯電話情報を窓口端末の定期券読取手段で読取ると同時に、定期券から読取った携帯電話情報が定期券払戻し窓口の最寄りの基地局に位置情報登録を行った携帯電話機の携帯電話情報であるかを確認するので、第三者が駅の定期券払戻し窓口で定期券を不正に換金しようとしても、定期券から読取った携帯電話情報が定期券払戻し窓口の最寄りの基地局に位置情報登録を行った携帯電話機の携帯電話情報であると確認できなければ、定期券の払戻しを受けることができず、定期券が第三者により不正に換金されることを未然に防止することができ、定期券のみでは払戻しが行われず、定期券の第三者による払戻し換金などの不正行為を確実に防止することが可能な定期券不正使用防止システム、窓口端末、基地局及び定期券不正使用防止方法を提供することにある。
【課題を解決するための手段】
【００１０】
本発明の定期券不正使用防止システムは、定期券と、最寄りの基地局に位置情報登録を行う登録手段を備え、前記定期券を利用する定期券利用者が携行する携帯電話機と、前記定期券利用者が入退場する駅の改札口に設置され、開閉可能なゲートと定期券読取部を有する改札ゲート装置と、前記駅の定期券払戻し窓口に設置された窓口端末とから構成され、前記定期券と前記携帯電話機を連携して定期券の不正使用を防止するシステムであって、前記定期券が、定期券情報と前記携帯電話機の携帯電話情報を記録しており、前記改札ゲート装置が、前記定期券読取部により前記定期券の読取りを行い、そして、読取った前記定期券の携帯電話情報についてゲートの最寄りの基地局に位置情報登録済みか位置情報未登録かの問い合わせを行う問い合わせ手段と、前記ゲートの最寄りの基地局からの位置情報登録済み又は位置情報未登録の確認結果を受け取る受取手段と、前記定期券から読取った携帯電話情報が前記ゲートの最寄りの基地局に位置情報登録済みである時、前記ゲートを開放するゲート開閉制御手段とを備え、前記窓口端末が、前記定期券の読取りを行う定期券読取手段と、前記定期券読取手段により前記定期券から読取った携帯電話情報について前記定期券払戻し窓口の最寄りの基地局に位置情報登録済みか位置情報未登録かの問い合わせを行う問い合わせ手段と、前記定期券払戻し窓口の最寄りの基地局からの位置情報登録済み又は位置情報未登録の確認結果を受け取る受取手段と、前記定期券から読取った携帯電話情報が前記定期券払戻し窓口の最寄りの基地局に位置情報未登録である時、前記定期券の払戻しを行えない旨の警告を発する警告手段とを備えたことを特徴とする構成を有するものである。
【００１１】
本発明の定期券不正使用防止システムは、定期券と、最寄りの基地局に位置情報登録を行う登録手段を備え、前記定期券を利用する定期券利用者が携行する携帯電話機と、前記定期券利用者が入退場する駅の改札口に設置され、開閉可能なゲートと定期券読取部を有する改札ゲート装置と、前記駅の定期券払戻し窓口に設置された窓口端末とから構成され、前記定期券と前記携帯電話機を連携して定期券の不正使用を防止するシステムであって、前記定期券が、定期券情報と前記携帯電話機の携帯電話情報を記録しており、前記改札ゲート装置が、前記定期券読取部により前記定期券の読取りを行い、そして、ゲートの最寄りの基地局から位置情報登録した携帯電話機の登録携帯電話情報を取得する登録携帯電話情報取得手段と、前記定期券から読取った携帯電話情報と前記ゲートの最寄りの基地局から取得した登録携帯電話情報とを照合する照合手段と、前記定期券から読取った携帯電話情報と前記ゲートの最寄りの基地局から取得した登録携帯電話情報とが一致した時、前記ゲートを開放するゲート開閉制御手段とを備え、前記窓口端末が、前記定期券の読取りを行う定期券読取手段と、前記定期券払戻し窓口の最寄りの基地局から位置情報登録した携帯電話機の登録携帯電話情報を取得する登録携帯電話情報取得手段と、前記定期券読取手段により前記定期券から読取った携帯電話情報と前記定期券払戻し窓口の最寄りの基地局から取得した登録携帯電話情報とを照合する照合手段と、前記定期券から読取った携帯電話情報と前記定期券払戻し窓口の最寄りの基地局から取得した登録携帯電話情報とが一致しない時、前記定期券の払戻しを行えない旨の警告を発する警告手段とを備えたことを特徴とする構成を有するものである。
【００１２】
本発明の窓口端末は、駅の定期券払戻し窓口に設置され、定期券の読取りを行う定期券読取手段と、前記定期券読取手段により前記定期券から読取った携帯電話情報について前記定期券払戻し窓口の最寄りの基地局に位置情報登録済みか位置情報未登録かの問い合わせを行う問い合わせ手段と、前記基地局からの位置情報登録済み又は位置情報未登録の確認結果を受け取る受取手段と、前記定期券から読取った携帯電話情報が前記基地局に位置情報未登録である時、前記定期券の払戻しを行えない旨の警告を発する警告手段とを備えたことを特徴とする構成を有するものである。
【００１３】
本発明の窓口端末は、駅の定期券払戻し窓口に設置され、定期券の読取りを行う定期券読取手段と、前記定期券払戻し窓口の最寄りの基地局から位置情報登録した携帯電話機の登録携帯電話情報を取得する登録携帯電話情報取得手段と、前記定期券読取手段により前記定期券から読取った携帯電話情報と前記基地局から取得した登録携帯電話情報とを照合する照合手段と、前記定期券から読取った携帯電話情報と前記基地局から取得した登録携帯電話情報とが一致しない時、前記定期券の払戻しを行えない旨の警告を発する警告手段とを備えたことを特徴とする構成を有するものである。
【００１４】
本発明の基地局は、窓口端末の最寄りに設置され、携帯電話機の位置情報登録を実行する登録実行手段と、前記窓口端末からの定期券から読取った携帯電話情報について位置情報登録済みか位置情報未登録かの問い合わせを受け付ける受付手段と、位置情報登録済み又は位置情報未登録の確認を行う確認手段と、位置情報登録済み又は位置情報未登録の確認結果を前記窓口端末に返信する返信手段とを備えたことを特徴とする構成を有するものである。
【００１５】
本発明の定期券不正使用防止方法は、定期券と、最寄りの基地局に位置情報登録を行う登録手段を備え、前記定期券を利用する定期券利用者が携行する携帯電話機と、駅の定期券払戻し窓口に設置された窓口端末とを使用し、前記定期券と前記携帯電話機を連携して定期券の不正使用を防止する方法であって、前記窓口端末の定期券読取手段により定期券情報と前記携帯電話機の携帯電話情報を記録してある前記定期券の読取りを行う手順と、前記窓口端末から前記定期券払戻し窓口の最寄りの基地局に前記定期券から読取った携帯電話情報について位置情報登録済みか位置情報未登録かの問い合わせを行う手順と、前記定期券払戻し窓口の最寄りの基地局から前記窓口端末に位置情報登録済み又は位置情報未登録の確認結果を受け取る手順と、前記定期券から読取った携帯電話情報が前記定期券払戻し窓口の最寄りの基地局に位置情報未登録である時、前記窓口端末から前記定期券の払戻しを行えない旨の警告を発する手順とを含むことを特徴とするものである。
【発明の効果】
【００１６】
以上に述べたように、本発明によれば、窓口端末の最寄りに携帯電話機と交信可能な基地局を設置したので、定期券利用者が携行する携帯電話機から駅の定期券払戻し窓口の最寄りの基地局に位置情報登録を行うことができ、定期券利用者が携行する携帯電話機の携帯電話情報をあらかじめ定期券内に記録しておき、定期券を利用する定期券利用者が改札ゲート装置を通過する時に、定期券利用者の提示する定期券内に記録された携帯電話情報を改札ゲート装置の定期券読取部で読取ると同時に、定期券から読取った携帯電話情報がゲートの最寄りの基地局に位置情報登録を行った携帯電話機の携帯電話情報であるかを確認することにより、社会生活を送るほとんどの方が携行する携帯電話機を活用して、簡便且つ確実に改札でのセキュリティを高めることができ、定期券は携帯電話機を持っている定期券利用者本人しか使えず、第三者の駅構内への不正入場などの未然防止を図ることができ、定期券紛失などにより、定期券が第三者に不正に使用されることを未然に防止することができ、定期券と携帯電話機とを連携させて定期券の不正使用を防止することができ、駅の定期券払戻し窓口での定期券の払戻し請求時に、定期券内に記録された携帯電話情報を窓口端末の定期券読取手段で読取ると同時に、定期券から読取った携帯電話情報が定期券払戻し窓口の最寄りの基地局に位置情報登録を行った携帯電話機の携帯電話情報であるかを確認するので、第三者が駅の定期券払戻し窓口で定期券を不正に換金しようとしても、定期券から読取った携帯電話情報が定期券払戻し窓口の最寄りの基地局に位置情報登録を行った携帯電話機の携帯電話情報であると確認できなければ、定期券の払戻しを受けることができず、定期券が第三者により不正に換金されることを未然に防止することができ、定期券のみでは払戻しが行われず、定期券の第三者による払戻し換金などの不正行為を確実に防止することが可能な定期券不正使用防止システム、窓口端末、基地局及び定期券不正使用防止方法を得ることができる。
【発明を実施するための最良の形態】
【００１７】
以下、本発明を実施するための最良の形態を図面を参照して詳細に説明する。
【実施例】
【００１８】
図１は、本発明の第１実施例及び第２実施例に係る定期券不正使用防止システムを示すシステム構成図である。
【００１９】
本発明の定期券不正使用防止システムＳは、定期券Ｃと、最寄りの基地局ＢＳに位置情報登録を行う登録手段を備え、定期券Ｃを利用する定期券利用者１０が携行する携帯電話機１と、定期券利用者１０が入退場する駅２の改札口２０に設置され、開閉可能なゲート３０と定期券読取部３１を有する改札ゲート装置３と、駅２の定期券払戻し窓口２１に設置された窓口端末４とから構成され、定期券Ｃと携帯電話機１を連携して定期券Ｃの不正使用を防止するシステムである。
【００２０】
本発明の定期券不正使用防止システムＳは、定期券Ｃが、定期券情報と携帯電話機１の携帯電話情報である携帯電話番号情報を記録している。
【００２１】
本発明の定期券不正使用防止システムＳは、改札ゲート装置３が、定期券読取部３１により定期券Ｃの読取りを行うようになっている。
【００２２】
本発明の定期券不正使用防止システムＳは、改札ゲート装置３が、読取った定期券Ｃの携帯電話番号情報についてゲート３０の最寄りの基地局ＢＳ１に位置情報登録済みか位置情報未登録かの問い合わせを行う問い合わせ手段と、ゲート３０の最寄りの基地局ＢＳ１からの位置情報登録済み又は位置情報未登録の確認結果を受け取る受取手段と、定期券Ｃから読取った携帯電話番号情報がゲート３０の最寄りの基地局ＢＳ１に位置情報登録済みである時、ゲート３０を開放するゲート開閉制御手段とを備えている。
【００２３】
本発明の定期券不正使用防止システムＳは、窓口端末４が、定期券Ｃの読取りを行う定期券読取手段と、定期券読取手段により定期券Ｃから読取った携帯電話番号情報について定期券払戻し窓口２１の最寄りの基地局ＢＳ２に位置情報登録済みか位置情報未登録かの問い合わせを行う問い合わせ手段と、定期券払戻し窓口２１の最寄りの基地局ＢＳ２からの位置情報登録済み又は位置情報未登録の確認結果を受け取る受取手段と、定期券Ｃから読取った携帯電話番号情報が定期券払戻し窓口２１の最寄りの基地局ＢＳ２に位置情報未登録である時、定期券Ｃの払戻しを行えない旨の警告を発する警告手段とを備えている。
【００２４】
本発明の窓口端末は、駅２の定期券払戻し窓口２１に設置され、定期券Ｃの読取りを行う定期券読取手段と、定期券読取手段により定期券Ｃから読取った携帯電話番号情報について定期券払戻し窓口２１の最寄りの基地局ＢＳ２に位置情報登録済みか位置情報未登録かの問い合わせを行う問い合わせ手段と、定期券払戻し窓口２１の最寄りの基地局ＢＳ２からの位置情報登録済み又は位置情報未登録の確認結果を受け取る受取手段と、定期券Ｃから読取った携帯電話番号情報が定期券払戻し窓口２１の最寄りの基地局ＢＳ２に位置情報未登録である時、定期券Ｃの払戻しを行えない旨の警告を発する警告手段とを備えている。
【００２５】
本発明の基地局は、窓口端末４の最寄りに設置され、携帯電話機１の位置情報登録を実行する登録実行手段と、窓口端末４からの定期券Ｃから読取った携帯電話番号情報について位置情報登録済みか位置情報未登録かの問い合わせを受け付ける受付手段と、位置情報登録済み又は位置情報未登録の確認を行う確認手段と、位置情報登録済み又は位置情報未登録の確認結果を窓口端末４に返信する返信手段とを備えている。
【００２６】
本発明の定期券不正使用防止方法は、定期券Ｃと、最寄りの基地局ＢＳに位置情報登録を行う登録手段を備え、定期券Ｃを利用する定期券利用者１０が携行する携帯電話機１と、駅２の定期券払戻し窓口２１に設置された窓口端末４とを使用し、定期券Ｃと携帯電話機１を連携して定期券Ｃの不正使用を防止する方法である。
【００２７】
本発明の定期券不正使用防止方法は、窓口端末４の定期券読取手段により定期券情報と携帯電話機１の携帯電話番号情報を記録してある定期券Ｃの読取りを行う手順と、窓口端末４から定期券払戻し窓口２１の最寄りの基地局ＢＳ２に定期券Ｃから読取った携帯電話番号情報について位置情報登録済みか位置情報未登録かの問い合わせを行う手順と、定期券払戻し窓口２１の最寄りの基地局ＢＳ２から窓口端末４に位置情報登録済み又は位置情報未登録の確認結果を受け取る手順と、定期券Ｃから読取った携帯電話番号情報が定期券払戻し窓口２１の最寄りの基地局ＢＳ２に位置情報未登録である時、窓口端末４から定期券Ｃの払戻しを行えない旨の警告を発する手順とを含んでいる。
【００２８】
本発明の改札ゲート装置は、定期券情報と携帯電話機１の携帯電話番号情報を記録してある定期券Ｃを利用する定期券利用者１０が入退場する駅２の改札口２０に設置されている。
【００２９】
本発明の改札ゲート装置は、開閉可能なゲート３０と定期券読取部３１を有しており、定期券読取部３１により定期券Ｃから携帯電話番号情報の読取りを行うようになっている。
【００３０】
本発明の改札ゲート装置は、読取った定期券Ｃの携帯電話番号情報についてゲート３０の最寄りの基地局ＢＳ１に位置情報登録済みか位置情報未登録かの問い合わせを行う問い合わせ手段と、ゲート３０の最寄りの基地局ＢＳ１からの位置情報登録済み又は位置情報未登録の確認結果を受け取る受取手段と、定期券Ｃから読取った携帯電話番号情報がゲート３０の最寄りの基地局ＢＳ１に位置情報登録済みである時、ゲート３０を開放するゲート開閉制御手段とを備えている。
【００３１】
基地局ＢＳ１は、改札ゲート装置３の最寄りに設置され、携帯電話機１の位置情報登録を実行する登録実行手段と、改札ゲート装置３からの定期券Ｃから読取った携帯電話番号情報について位置情報登録済みか位置情報未登録かの問い合わせを受け付ける受付手段と、位置情報登録済み又は位置情報未登録の確認を行う確認手段と、位置情報登録済み又は位置情報未登録の確認結果を改札ゲート装置３に返信する返信手段とを備えている。
【００３２】
定期券Ｃ内に、あらかじめ定期券情報と定期券利用者１０が携行する携帯電話機１の携帯電話番号情報を記録しておく。
【００３３】
定期券Ｃを利用する定期券利用者１０が携行する携帯電話機１は、最寄りの基地局ＢＳに位置情報登録を行う登録手段を備えている。
【００３４】
定期券利用者１０が入退場する駅２の改札口２０には、図１に示すように、改札ゲート装置３が設置されている。
【００３５】
改札ゲート装置３は、開閉可能なゲート３０と定期券読取部３１とを有している。
【００３６】
駅２の定期券払戻し窓口２０には、図１に示すように、窓口端末４が設置されている。
【００３７】
定期券発行会社５の定期券発行窓口５０には、図１に示すように、定期券利用者１０に対して定期券Ｃを発行する定期券発行装置５１が設置されている。
【００３８】
定期券発行装置５１は、定期券情報と定期券利用者１０が携行する携帯電話機１の携帯電話番号情報を定期券Ｃ内に登録する登録手段を備えている。
【００３９】
本発明の定期券不正使用防止システムは、以下に示すような特徴を有している。
（１）定期券Ｃを利用する定期券利用者１０は、定期券発行申請時に、定期券情報と携行する携帯電話機１の携帯電話番号情報を定期券発行会社５に申告する。
【００４０】
（２）定期券発行会社５の定期券発行装置５１は、定期券Ｃ内に定期券利用者１０が申告した定期券情報と携帯電話番号情報を登録する。
【００４１】
（３）定期券発行会社５の定期券発行装置５１は、定期券情報と携帯電話番号情報を登録した定期券Ｃを定期券利用者１０に発行する。
【００４２】
（４）定期券利用者１０の携行する携帯電話機１は、最寄りの基地局ＢＳに位置情報登録を行う。
【００４３】
（５）改札ゲート装置３は、定期券読取部３１により鉄道乗車者などの入場希望者である定期券利用者１０の定期券Ｃを読取る。
【００４４】
（６）改札ゲート装置３は、定期券Ｃから読取った携帯電話番号情報についてゲート３０の最寄りの基地局ＢＳ１に位置情報登録済みか位置情報未登録かの問い合わせを行う。
【００４５】
（７）改札ゲート装置３は、ゲート３０の最寄りの基地局ＢＳ１からの位置情報登録済み又は位置情報未登録の確認結果を受け取る。
【００４６】
（８）改札ゲート装置３は、定期券Ｃから読取った携帯電話番号情報がゲート３０の最寄りの基地局ＢＳ１に位置情報登録済みならば、ゲートロックの解除などの次処理に移り、定期券利用者１０の改札ゲート装置３の通過を許可し、また、定期券Ｃから読取った携帯電話番号情報がゲート３０の最寄りの基地局ＢＳ１に位置情報未登録ならば、定期券利用者１０の改札ゲート装置３の通過を拒否する。
【００４７】
（９）窓口端末４は、定期券読取手段により定期券払戻し希望者である定期券利用者１０の不要になった定期券Ｃを読取る。
【００４８】
（１０）窓口端末４は、不要になった定期券Ｃから読取った携帯電話番号情報について定期券払戻し窓口２１の最寄りの基地局ＢＳ２に位置情報登録済みか位置情報未登録かの問い合わせを行う。
【００４９】
（１１）窓口端末４は、定期券払戻し窓口２１の最寄りの基地局ＢＳ２からの位置情報登録済み又は位置情報未登録の確認結果を受け取る。
【００５０】
（１２）窓口端末４は、不要になった定期券Ｃから読取った携帯電話番号情報が定期券払戻し窓口２１の最寄りの基地局ＢＳ２に位置情報登録済みならば、駅２の定期券払戻し窓口２１の係員が定期券利用者１０への不要になった定期券Ｃの払戻しを行い、また、定期券Ｃから読取った携帯電話番号情報が定期券払戻し窓口２１の最寄りの基地局ＢＳ２に位置情報未登録ならば、不要になった定期券Ｃの払戻しを行えない旨の警告を発し、定期券利用者１０への不要になった定期券Ｃの払戻しを不可とする。
【００５１】
本発明の定期券不正使用防止システムは、定期券Ｃと携帯電話機１とを連携させることによる改札ゲート装置３での二重セキュリティとゲートロック機能を有する。
【００５２】
また、定期券Ｃは、携帯電話機１を持っている本人しか使えず、定期券Ｃの不正使用による駅構内への第三者の入場などの未然防止を図れる。
【００５３】
また、定期券Ｃを紛失しても、それのみでは使用できず、定期券Ｃを定期券利用者１０以外の第三者に不正に使用されるリスクは何ら生じない。
【００５４】
さらに、定期券Ｃの紛失時は、救済処置として定期券Ｃを定期券利用者１０に再発行または複数枚発行しても、紛失した定期券Ｃの不正利用などのリスクは無い。
【００５５】
図２は、本発明の第１実施例に係る定期券不正使用防止システムにおける携帯電話機を携行する定期券利用者の駅構内への入場時の処理の流れを説明するフローチャート図である。
ステップＳ１００でスタートした処理は、まず、定期券Ｃの定期券発行会社５への定期券発行申請時に、定期券利用者１０が定期券情報と携行する携帯電話機１の携帯電話番号情報を定期券発行会社５に申告し（ステップＳ１０１）、次いで、定期券発行装置５１が定期券利用者１０の申告した定期券情報と携帯電話番号情報を定期券Ｃ内に登録し（ステップＳ１０２）、その後、定期券発行装置５１が定期券情報と携帯電話番号情報を登録した定期券Ｃを定期券利用者１０に発行する（ステップＳ１０３）。
【００５６】
次いで、定期券利用者１０の携行する携帯電話機１の登録手段がゲート３０の最寄りの基地局ＢＳ１に位置情報登録を行う（ステップＳ１０４）。
【００５７】
次いで、携帯電話機１を携行する駅構内への入場希望者である定期券利用者１０が駅２の改札口２０に設置された改札ゲート装置３を通過する時、定期券Ｃを提示すると、改札ゲート装置３が定期券読取部３１で定期券利用者１０の利用する定期券Ｃを読取り（ステップＳ１０５）、次いで、改札ゲート装置３の問い合わせ手段が定期券Ｃから読取った携帯電話番号情報についてゲート３０の最寄りの基地局ＢＳ１に位置情報登録済みか位置情報未登録かの問い合わせを行う（ステップＳ１０６）。
【００５８】
次いで、改札ゲート装置３の受取手段がゲート３０の最寄りの基地局ＢＳ１からの位置情報登録済み又は位置情報未登録の確認結果を受け取り（ステップＳ１０７）、その後、定期券Ｃから読取った携帯電話番号情報がゲート３０の最寄りの基地局ＢＳ１に位置情報登録済みかを判断する（ステップＳ１０８）。
【００５９】
ここで、定期券Ｃから読取った携帯電話番号情報がゲート３０の最寄りの基地局ＢＳ１に位置情報登録済みである場合（ステップＳ１０８“ＹＥＳ”）、携帯電話機１を携行する定期券利用者１０の改札ゲート装置３の通過を許可し、改札ゲート装置３のゲート開閉制御手段がゲートロックを解除してゲート３０を開放し（ステップＳ１０９）、携帯電話機１を携行する定期券利用者１０が定期券Ｃを持ちながら改札ゲート装置３を通過して駅構内に入場する。
【００６０】
また、定期券Ｃから読取った携帯電話番号情報がゲート３０の最寄りの基地局ＢＳ１に位置情報未登録である場合（ステップＳ１０８“ＮＯ”）、携帯電話機１を携行する定期券利用者１０の改札ゲート装置３の通過を拒否し、改札ゲート装置３のゲート開閉制御手段がゲートロックを解除せず、ゲート３０を閉鎖したままの状態を維持し（ステップＳ１１０）、携帯電話機１を携行する定期券利用者１０が改札ゲート装置３を通過することはできない。
【００６１】
図３は、本発明の第１実施例に係る定期券不正使用防止システムにおける駅の定期券払戻し窓口での不要になった定期券の払戻し請求時の処理の流れを説明するフローチャート図である。
ステップＳ２００でスタートした処理は、まず、不要になった定期券Ｃの払戻し請求時に、携帯電話機１を携行する定期券払戻し希望者である定期券利用者１０が不要になった定期券Ｃを持って駅２の定期券払戻し窓口２１に出向くと、定期券利用者１０の携行する携帯電話機１の登録手段が定期券払戻し窓口２１の最寄りの基地局ＢＳ２に位置情報登録を行う（ステップＳ２０１）。
【００６２】
次いで、携帯電話機１を携行する定期券利用者１０が不要になった定期券Ｃを駅２の定期券払戻し窓口２１の係員に渡すと、窓口端末４が定期券読取手段で定期券Ｃを読取り（ステップＳ２０２）、次いで、窓口端末４の問い合わせ手段が定期券Ｃから読取った携帯電話番号情報について定期券払戻し窓口２１の最寄りの基地局ＢＳ２に位置情報登録済みか位置情報未登録かの問い合わせを行う（ステップＳ２０３）。
【００６３】
次いで、窓口端末４の受取手段が定期券払戻し窓口２１の最寄りの基地局ＢＳ２からの位置情報登録済み又は位置情報未登録の確認結果を受け取り（ステップＳ２０４）、その後、定期券Ｃから読取った携帯電話番号情報が定期券払戻し窓口２１の最寄りの基地局ＢＳ２に位置情報登録済みかを判断する（ステップＳ２０５）。
【００６４】
ここで、定期券Ｃから読取った携帯電話番号情報が定期券払戻し窓口２１の最寄りの基地局ＢＳ２に位置情報未登録である場合（ステップＳ２０５“ＮＯ”）、窓口端末４の警告手段が定期券Ｃの払戻しを行えない旨の警告を発し（ステップＳ２０６）、定期券利用者１０への定期券Ｃの払戻しを不可とし（ステップＳ２０７）、定期券利用者１０は駅２の定期券払戻し窓口２１での定期券Ｃの払戻しを受けることができない。
【００６５】
また、定期券Ｃから読取った携帯電話番号情報が定期券払戻し窓口２１の最寄りの基地局ＢＳ２に位置情報登録済みである場合（ステップＳ２０５“ＹＥＳ”）、定期券利用者１０への定期券Ｃの払戻しを行い（ステップＳ２０８）、定期券利用者１０は駅２の定期券払戻し窓口２１で定期券Ｃの払戻しを受けることができる。
【００６６】
以下、本発明の第２実施例に係る定期券不正使用防止システムについて図１を用いて説明する。
【００６７】
本発明の定期券不正使用防止システムＳは、改札ゲート装置３が、ゲート３０の最寄りの基地局ＢＳ１から位置情報登録した携帯電話機１の登録携帯電話情報である登録携帯電話番号情報を取得する登録携帯電話情報取得手段と、定期券Ｃから読取った携帯電話番号情報とゲート３０の最寄りの基地局ＢＳ１から取得した登録携帯電話番号情報とを照合する照合手段と、定期券Ｃから読取った携帯電話番号情報とゲート３０の最寄りの基地局ＢＳ１から取得した登録携帯電話番号情報とが一致した時、ゲート３０を開放するゲート開閉制御手段とを備えている。
【００６８】
本発明の定期券不正使用防止システムＳは、窓口端末４が、定期券Ｃの読取りを行う定期券読取手段と、定期券払戻し窓口２１の最寄りの基地局ＢＳ２から位置情報登録した携帯電話機１の登録携帯電話情報である登録携帯電話番号情報を取得する登録携帯電話情報取得手段と、定期券読取手段により定期券Ｃから読取った携帯電話番号情報と定期券払戻し窓口２１の最寄りの基地局ＢＳ２から取得した登録携帯電話番号情報とを照合する照合手段と、定期券Ｃから読取った携帯電話番号情報と定期券払戻し窓口２１の最寄りの基地局ＢＳ２から取得した登録携帯電話番号情報とが一致しない時、定期券Ｃの払戻しを行えない旨の警告を発する警告手段とを備えている。
【００６９】
本発明の窓口端末は、駅２の定期券払戻し窓口２１に設置され、定期券Ｃの読取りを行う定期券読取手段と、定期券払戻し窓口２１の最寄りの基地局ＢＳ２から位置情報登録した携帯電話機１の登録携帯電話番号情報を取得する登録携帯電話情報取得手段と、定期券読取手段により定期券Ｃから読取った携帯電話番号情報と定期券払戻し窓口２１の最寄りの基地局ＢＳ２から取得した登録携帯電話番号情報とを照合する照合手段と、定期券Ｃから読取った携帯電話番号情報と定期券払戻し窓口２１の最寄りの基地局ＢＳ２から取得した登録携帯電話番号情報とが一致しない時、定期券Ｃの払戻しを行えない旨の警告を発する警告手段とを備えている。
【００７０】
なお、本発明の第２実施例に係る定期券不正使用防止システムの他の構成は、図１に示す第１実施例とほぼ同様のため、説明を省略する。
【００７１】
本発明の改札ゲート装置は、定期券情報と携帯電話機１の携帯電話番号情報を記録してある定期券Ｃを利用する定期券利用者１０が入退場する駅２の改札口２０に設置され、開閉可能なゲート３０と定期券読取部３１を有しており、定期券読取部３１により定期券Ｃの読取りを行うようになっている。
【００７２】
本発明の改札ゲート装置は、ゲート３０の最寄りの基地局ＢＳ１から位置情報登録した携帯電話機１の登録携帯電話番号情報を取得する登録携帯電話情報取得手段と、定期券Ｃから読取った携帯電話番号情報とゲート３０の最寄りの基地局ＢＳ１から取得した登録携帯電話番号情報とを照合する照合手段と、定期券Ｃから読取った携帯電話番号情報とゲート３０に最寄りの基地局ＢＳ１から取得した登録携帯電話番号情報とが一致した時、ゲート３０を開放するゲート開閉制御手段とを備えている。
【００７３】
図４は、本発明の第２実施例に係る定期券不正使用防止システムにおける携帯電話機を携行する定期券利用者の駅構内への入場時の処理の流れを説明するフローチャート図である。
ステップＳ３００でスタートした処理は、まず、定期券Ｃの定期券発行会社５への定期券発行申請時に、定期券利用者１０が定期券情報と携行する携帯電話機１の携帯電話番号情報を定期券発行会社５に申告し（ステップＳ３０１）、次いで、定期券発行装置５１が定期券利用者１０の申告した定期券情報と携帯電話番号情報を定期券Ｃ内に登録し（ステップＳ３０２）、その後、定期券発行装置５１が定期券情報と携帯電話番号情報を登録した定期券Ｃを定期券利用者１０に発行する（ステップＳ３０３）。
【００７４】
次いで、定期券利用者１０の携行する携帯電話機１の登録手段がゲート３０の最寄りの基地局ＢＳ１に位置情報登録を行う（ステップＳ３０４）。
【００７５】
次いで、携帯電話機１を携行する駅構内への入場希望者である定期券利用者１０が駅２の改札口２０に設置された改札ゲート装置３を通過する時、定期券Ｃを提示すると、改札ゲート装置３が定期券読取部３１で定期券利用者１０の利用する定期券Ｃを読取り（ステップＳ３０５）、次いで、改札ゲート装置３の登録携帯電話情報取得手段がゲート３０の最寄りの基地局ＢＳ１から位置情報登録した携帯電話機１の登録携帯電話番号情報を取得する（ステップＳ３０６）。
【００７６】
次いで、改札ゲート装置３の照合手段が定期券Ｃから読取った携帯電話番号情報とゲート３０の最寄りの基地局ＢＳ１から取得した登録携帯電話番号情報とを照合し（ステップＳ３０７）、その後、定期券Ｃから読取った携帯電話番号情報とゲート３０の最寄りの基地局ＢＳ１から取得した登録携帯電話番号情報とが一致したかを判断する（ステップＳ３０８）。
【００７７】
ここで、定期券Ｃから読取った携帯電話番号情報とゲート３０の最寄りの基地局ＢＳ１から取得した登録携帯電話番号情報とが一致した場合（ステップＳ３０８“ＹＥＳ”）、携帯電話機１を携行する定期券利用者１０の改札ゲート装置３の通過を許可し、改札ゲート装置３のゲート開閉制御手段がゲートロックを解除してゲート３０を開放し（ステップＳ３０９）、携帯電話機１を携行する定期券利用者１０が定期券Ｃを持ちながら改札ゲート装置３を通過して駅構内に入場する。
【００７８】
また、定期券Ｃから読取った携帯電話番号情報とゲート３０の最寄りの基地局ＢＳ１から取得した登録携帯電話番号情報とが一致しない場合（ステップＳ３０８“ＮＯ”）、携帯電話機１を携行する定期券利用者１０の改札ゲート装置３の通過を拒否し、改札ゲート装置３のゲート開閉制御手段がゲートロックを解除せず、ゲート３０を閉鎖したままの状態を維持し（ステップＳ３１０）、携帯電話機１を携行する定期券利用者１０が改札ゲート装置３を通過することはできない。
【００７９】
図５は、本発明の第２実施例に係る定期券不正使用防止システムにおける駅の定期券払戻し窓口での不要になった定期券の払戻し請求時の処理の流れを説明するフローチャート図である。
ステップＳ４００でスタートした処理は、まず、不要になった定期券Ｃの払戻し請求時に、携帯電話機１を携行する定期券払戻し希望者である定期券利用者１０が不要になった定期券Ｃを持って駅２の定期券払戻し窓口２１に出向くと、定期券利用者１０の携行する携帯電話機１の登録手段が定期券払戻し窓口２１の最寄りの基地局ＢＳ２に位置情報登録を行う（ステップＳ４０１）。
【００８０】
次いで、携帯電話機１を携行する定期券利用者１０が不要になった定期券Ｃを駅２の定期券払戻し窓口２１の係員に渡すと、窓口端末４が定期券読取手段で定期券Ｃを読取り（ステップＳ４０２）、次いで、窓口端末４の登録携帯電話情報取得手段が定期券払戻し窓口２１の最寄りの基地局ＢＳ２から位置情報登録した携帯電話機１の登録携帯電話番号情報を取得する（ステップＳ４０３）。
【００８１】
次いで、窓口端末４の照合手段が定期券Ｃから読取った携帯電話番号情報と定期券払戻し窓口２１の最寄りの基地局ＢＳ２から取得した登録携帯電話番号情報とを照合し（ステップＳ４０４）、その後、定期券Ｃから読取った携帯電話番号情報と定期券払戻し窓口２１の最寄りの基地局ＢＳ２から取得した登録携帯電話番号情報とが一致したかを判断する（ステップＳ４０５）。
【００８２】
ここで、定期券Ｃから読取った携帯電話番号情報と定期券払戻し窓口２１の最寄りの基地局ＢＳ２から取得した登録携帯電話番号情報とが一致しない場合（ステップＳ４０５“ＮＯ”）、窓口端末４の警告手段が定期券Ｃの払戻しを行えない旨の警告を発し（ステップＳ４０６）、定期券Ｃの払戻しを不可とし（ステップＳ４０７）、定期券利用者１０は駅２の定期券払戻し窓口２１での定期券Ｃの払戻しを受けることができない。
【００８３】
また、定期券Ｃから読取った携帯電話番号情報と定期券払戻し窓口２１の最寄りの基地局ＢＳ２から取得した登録携帯電話番号情報とが一致した場合（ステップＳ４０５“ＹＥＳ”）、定期券Ｃの払戻しを行い（ステップＳ４０８）、定期券利用者１０は駅２の定期券払戻し窓口２１で定期券Ｃの払戻しを受けることができる。
【図面の簡単な説明】
【００８４】
【図１】本発明の第１実施例及び第２実施例に係る定期券不正使用防止システムを示すシステム構成図。
【図２】本発明の第１実施例に係る定期券不正使用防止システムにおける携帯電話機を携行する定期券利用者の駅構内への入場時の処理の流れを説明するフローチャート図。
【図３】本発明の第１実施例に係る定期券不正使用防止システムにおける駅の定期券払戻し窓口での不要になった定期券の払戻し請求時の処理の流れを説明するフローチャート図。
【図４】本発明の第２実施例に係る定期券不正使用防止システムにおける携帯電話機を携行する定期券利用者の駅構内への入場時の処理の流れを説明するフローチャート図。
【図５】本発明の第２実施例に係る定期券不正使用防止システムにおける駅の定期券払戻し窓口での不要になった定期券の払戻し請求時の処理の流れを説明するフローチャート図。
【符号の説明】
【００８５】
１  携帯電話機
２  駅
３  改札ゲート装置
４  窓口端末
５  定期券発行会社
１０  定期券利用者
２０  改札口
２１  定期券払戻し窓口
３０  ゲート
３１  定期券読取部
５０  定期券発行窓口
５１  定期券発行装置
ＢＳ，ＢＳ１，ＢＳ２  基地局
Ｃ  定期券
Ｓ  定期券不正使用防止システム
【図１】
2007004509.tif 000003
【図２】
2007004509.tif 000004
【図３】
2007004509.tif 000005
【図４】
2007004509.tif 000006
【図５】
2007004509.tif 000007